(57)【要約】【課題】充放電電源の動作状態や容量が異なっても共通して使用でき、短時間で校正作業を行うことが可能な充放電電源の電流電圧校正方法及びその校正用負荷装置を提供する。【解決手段】充放電電源１１の電流電圧校正方法であって、充放電電源１１の出力端子１２、１３間を短絡し、充放電電源１１の動作に応じて出力端子１２、１３間を流れる電流に対応する電流変換電圧を求め、充放電電源１１の動作が定電流制御の下の充電又は放電である際は、電流変換電圧を電流校正用の測定電圧として電圧測定基準器４１で測定し、得られた測定値から換算した電流値を用いて充放電電源１１の電流校正を行い、充放電電源１１の動作が定電圧制御の下の充電又は放電である際は、電流変換電圧から電圧校正用の測定電圧を形成し、測定電圧を電圧測定基準器４１及び充放電電源１１を用いてそれぞれ測定し、得られた測定値を用いて充放電電源１１の電圧校正を行う。【選択図】図１
2019135487.tif 000002
【特許請求の範囲】
【請求項１】
充放電電源が定電流制御の下で充電又は放電を行っている際の電流値の校正と、該充放電電源が定電圧制御の下で充電又は放電を行っている際の電圧値の校正を行う充放電電源の電流電圧校正方法であって、
前記充放電電源の出力端子間を短絡し、前記充放電電源の動作に応じて前記出力端子間を流れる電流に対応する電流変換電圧を求め、
前記充放電電源の動作が定電流制御の下の充電又は放電である際は、前記電流変換電圧を電流校正用の測定電圧として電圧測定基準器で測定し、得られた測定値から換算した電流値を用いて前記充放電電源の電流校正を行い、
前記充放電電源の動作が定電圧制御の下の充電又は放電である際は、前記電流変換電圧から電圧校正用の測定電圧を形成し、該測定電圧を前記電圧測定基準器及び前記充放電電源を用いてそれぞれ測定し、得られた測定値を用いて前記充放電電源の電圧校正を行うことを特徴とする充放電電源の電流電圧校正方法。
【請求項２】
請求項１記載の充放電電源の電流電圧校正方法において、前記充放電電源の動作が定電圧制御の下の充電又は放電である際は、前記電圧校正用の測定電圧は、（１）前記充放電電源の動作が定電圧制御の充電である際は、前記電流変換電圧を増幅して形成し、（２）前記充放電電源の動作が定電圧制御の放電である際は、前記電流変換電圧の増幅電圧と基準電圧との差分を更に増幅して形成することを特徴とする充放電電源の電流電圧校正方法。
【請求項３】
請求項２記載の充放電電源の電流電圧校正方法において、前記充放電電源の動作が定電圧制御の放電である際は、前記基準電圧の絶対値を前記増幅電圧の絶対値より大きく設定することを特徴とする充放電電源の電流電圧校正方法。
【請求項４】
充放電電源が定電流制御の下で充電又は放電を行っている際の電流値の校正と該充放電電源が定電圧制御の下で充電又は放電を行っている際の電圧値の校正を行う際に前記充放電電源に接続して使用する充放電電源の校正用負荷装置であって、
前記充放電電源の出力端子間に接続して該出力端子間を短絡する短絡用配線と、
前記充放電電源の動作に応じて前記短絡用配線を流れる電流に対応する電流変換電圧を発生する電流電圧変換器と、
前記電流変換電圧を電流校正用の測定電圧として出力する第１の出力部と、
前記電流変換電圧から電圧校正用の測定電圧を形成して出力する第２の出力部と、
前記充放電電源の動作が定電流制御の下の充電又は放電である際に前記第１の出力部からの出力を選択し、前記充放電電源の動作が定電圧制御の下の充電又は放電である際に前記第２の出力部からの出力を選択して出力する出力選択部とを有することを特徴とする充放電電源の校正用負荷装置。
【請求項５】
請求項４記載の充放電電源の校正用負荷装置において、前記第２の出力部は、前記電流変換電圧を増幅して出力する第１の増幅回路と、該第１の増幅回路の出力電圧を更に増幅して出力する第２の増幅回路と、基準電圧発生器を備え、該基準電圧発生器の基準電圧と前記第１の増幅回路の出力電圧との差分を出力する差分回路と、該差分回路の出力電圧を増幅して出力する第３の増幅回路と、前記充放電電源の動作が定電圧制御の充電である際に前記第２の増幅回路からの出力を選択し、前記充放電電源の動作が定電圧制御の放電である際に前記第３の増幅回路からの出力を選択して前記測定電圧とする出力切替え機構とを有することを特徴とする充放電電源の校正用負荷装置。
【請求項６】
請求項５記載の充放電電源の校正用負荷装置において、前記基準電圧の絶対値は前記差分回路の出力電圧の絶対値より大きいことを特徴とする充放電電源の校正用負荷装置。
【請求項７】
請求項４〜６のいずれか１項に記載の充放電電源の校正用負荷装置において、前記充放電電源の出力端子間を前記短絡用配線で短絡状態として該充放電電源を通電状態として、該充放電電源が定電流制御の下で充電又は放電を行っている際の電流値の校正と、該充放電電源が定電圧制御の下で充電又は放電を行っている際の電圧値の校正を行うことを特徴とする充放電電源の校正用負荷装置。
【発明の詳細な説明】
【技術分野】
【０００１】
本発明は、例えば、二次電池の充電又は放電を制御する充放電電源の電流電圧校正方法及び充放電電源に接続して校正に使用する校正用負荷装置に関する。
【背景技術】
【０００２】
従来、図３に示すように、定電圧充電状態で動作している充放電電源８０の電圧校正を行う際に使用する負荷装置（負荷回路ともいう）８１は、充放電電源８０の対となる出力端子８２、８３間にそれぞれ接続端子８４、８５を介して接続される抵抗負荷８６を有している（例えば、特許文献１参照）。そして、負荷装置８１の抵抗負荷８６の両端間の電圧の真の値を求める場合は、負荷装置８１の抵抗負荷８６の両端にそれぞれ設けた端子８９、９０間に定期校正された電圧測定基準器９１を接続して測定し、負荷装置８１の抵抗負荷８６の両端間の電圧値を充放電電源８０で求める場合は、端子８９、９０間に充放電電源８０の対となるセンシング端子９２、９３を接続して測定する。これにより、定電圧充電状態で動作している充放電電源８０で得られる電圧値の校正を行うことができる。
【０００３】
図４に示すように、定電圧放電状態で動作している充放電電源８０の電圧校正を行う際に使用する負荷装置８７は、充放電電源８０の対となる出力端子８２、８３間に対となる接続端子８４ａ、８５ａを介して直列に接続されるシャント抵抗８６ａと直流電源（電圧供給源）８８を有している（例えば、特許文献１参照）。そして、直列に接続したシャント抵抗８６ａと直流電源８８の両端間の電圧の真の値を求める場合は、直列に接続したシャント抵抗８６ａと直流電源８８の両側の接続端子８４ａ、８５ａとは異なる位置にそれぞれ設けた端子８９ａ、９０ａ間に電圧測定基準器９１を接続して測定し、直列に接続したシャント抵抗８６ａと直流電源８８の両端間の電圧値を充放電電源８０で求める場合は、端子８９ａ、９０ａ間に充放電電源８０の対となるセンシング端子９２、９３を接続して測定する。これにより、定電圧放電状態で動作している充放電電源８０で得られる電圧値の校正を行うことができる。
【０００４】
また、図５に示すように、定電流状態で充電又は放電を行っている充放電電源８０の電流校正を行う際に使用する負荷装置９４は、充放電電源８０の対となる出力端子８２、８３間に対となる接続端子８４ｂ、８５ｂを介して接続される電流供給源９５と、出力端子８２、８３間を流れる電流を電圧に変換する電流電圧変換器９６とを有している。そして、電流供給源９５の出力端子８２、８３間を流れる電流（出力端子８２から接続端子８４ｂと接続端子８５ｂを経由して出力端子８３に流れる電流）の真の値を求める場合は、電流電圧変換器９６の出力端子９７、９８間に電圧測定基準器９１を接続して電圧を測定し、得られた電圧値を電流に換算している。電流供給源９５の出力端子８２、８３間を流れる電流値を充放電電源８０の電流検出機能を用いて求める場合は、接続端子８４ｂ、８５ｂと直列に接続される充放電電源８０内部にある電流検出素子（図示せず）による測定を行っている。これにより、定電流状態で充電又は放電を行っている充放電電源８０で得られる電流値の校正を行うことができる。
【先行技術文献】
【特許文献】
【０００５】
【特許文献１】特開２０１３−２２９２０１号公報
【発明の概要】
【発明が解決しようとする課題】
【０００６】
以上説明したように、充放電電源８０の電圧又は電流の校正を行う場合、充放電電源８０の動作状態毎に準備した負荷装置８１、８７、９４の中から、充放電電源８０の動作状態に合わせて負荷装置８１、８７、９４を選択して充放電電源８０に接続しなければならず、配線組替えの作業負担が大きいという問題がある。また、充放電電源８０の動作状態に合わせて負荷装置８１、８７、９４の配線組替え作業が生じるため、効率的な校正作業が阻害され、校正作業に時間を要するという問題がある。
更に、充放電電源８０が同一の動作状態であっても、充放電電源８０の容量に応じてそれぞれ複数の負荷装置８１、８７、９４を準備する必要があるため、負荷装置８１、８７、９４の保守及び管理の負担が増加するという問題がある。
【０００７】
本発明はかかる事情に鑑みてなされたもので、充放電電源の動作状態や容量が異なっても共通して使用でき、短時間で校正作業を行うことが可能な充放電電源の電流電圧校正方法及びその校正用負荷装置を提供することを目的とする。
【課題を解決するための手段】
【０００８】
前記目的に沿う第１の発明に係る充放電電源の電流電圧校正方法は、充放電電源が定電流制御の下で充電又は放電を行っている際の電流値の校正と、該充放電電源が定電圧制御の下で充電又は放電を行っている際の電圧値の校正を行う充放電電源の電流電圧校正方法であって、
前記充放電電源の出力端子間を短絡し、前記充放電電源の動作に応じて前記出力端子間を流れる電流に対応する電流変換電圧を求め、
前記充放電電源の動作が定電流制御の下の充電又は放電である際は、前記電流変換電圧を電流校正用の測定電圧として電圧測定基準器で測定し、得られた測定値から換算した電流値を用いて前記充放電電源の電流校正を行い、
前記充放電電源の動作が定電圧制御の下の充電又は放電である際は、前記電流変換電圧から電圧校正用の測定電圧を形成し、該測定電圧を前記電圧測定基準器及び前記充放電電源（の電圧測定機能）を用いてそれぞれ測定し、得られた測定値を用いて前記充放電電源の電圧校正を行う。
【０００９】
第１の発明に係る充放電電源の電流電圧校正方法において、前記充放電電源の動作が定電圧制御の下の充電又は放電である際は、前記充放電電源の出力端子間を流れる電流に対応する電流変換電圧を形成し、前記電圧校正用の測定電圧は、（１）前記充放電電源の動作が定電圧制御の充電である際は、前記電流変換電圧を増幅して形成し、（２）前記充放電電源の動作が定電圧制御の放電である際は、前記電流変換電圧の増幅電圧と基準電圧との差分を更に増幅して形成することができる。
これによって、充放電電源の出力端子間を短絡して出力端子間に流れる電流に対応する電流変換電圧から、充放電電源の動作に対応する電圧校正用の測定電圧をそれぞれ容易に形成することができる。
【００１０】
第１の発明に係る充放電電源の電流電圧校正方法において、前記充放電電源の動作が定電圧制御の放電である際は、前記基準電圧の絶対値を前記増幅電圧の絶対値より大きく設定することが好ましい。
これによって、放電時の充放電電源の出力端子間の電圧の昇降と電圧校正用の測定電圧の昇降を合わせることができる。
【００１１】
前記目的に沿う第２の発明に係る充放電電源の校正用負荷装置は、充放電電源が定電流制御の下で充電又は放電を行っている際の電流値の校正と該充放電電源が定電圧制御の下で充電又は放電を行っている際の電圧値の校正を行う際に前記充放電電源に接続して使用する充放電電源の校正用負荷装置であって、
前記充放電電源の出力端子間に接続して該出力端子間を短絡する短絡用配線と、
前記充放電電源の動作に応じて前記短絡用配線を流れる電流に対応する電流変換電圧を発生する電流電圧変換器と、
前記電流変換電圧を電流校正用の測定電圧として出力する第１の出力部と、
前記電流変換電圧から電圧校正用の測定電圧を形成して出力する第２の出力部と、
前記充放電電源の動作が定電流制御の下の充電又は放電である際に前記第１の出力部からの出力を選択し、前記充放電電源の動作が定電圧制御の下の充電又は放電である際に前記第２の出力部からの出力を選択して出力する出力選択部とを有している。
【００１２】
第２の発明に係る充放電電源の校正用負荷装置において、前記第２の出力部は、前記電流変換電圧を増幅して出力する第１の増幅回路と、該第１の増幅回路の出力電圧を更に増幅して出力する第２の増幅回路と、基準電圧発生器を備え、該基準電圧発生器の基準電圧と前記第１の増幅回路の出力電圧との差分を出力する差分回路と、該差分回路の出力電圧を増幅して出力する第３の増幅回路と、前記充放電電源の動作が定電圧制御の充電である際に前記第２の増幅回路からの出力を選択し、前記充放電電源の動作が定電圧制御の放電である際に前記第３の増幅回路からの出力を選択して前記測定電圧とする出力切替え機構とを有することが好ましい。
これによって、充放電電源の出力端子間を短絡して出力端子間に流れる電流から、充放電電源の動作に対応する測定電圧を形成することができる。
【００１３】
第２の発明に係る充放電電源の校正用負荷装置において、前記基準電圧の絶対値は前記差分回路の出力電圧の絶対値より大きいことが好ましい。
これによって、放電時の充放電電源の出力端子間の電圧の昇降と電圧校正用の測定電圧の昇降を合わせることができる。
【００１４】
第２の発明に係る充放電電源の校正用負荷装置において、前記充放電電源の出力端子間を前記短絡用配線で短絡状態として該充放電電源を通電状態として、該充放電電源が定電流制御の下で充電又は放電を行っている際の電流値の校正と、該充放電電源が定電圧制御の下で充電又は放電を行っている際の電圧値の校正を行うことができる。
これによって、充放電電源の動作状態に合わせて負荷装置を選択して充放電電源に接続する配線組替え作業が不要になる。
なお、電流の真の値は、第１の出力部の出力を電圧測定基準器で測定して得られる電流変換電圧値を逆変換することにより求められ、電圧の真の値は、第２の出力部の出力を電圧測定基準器で測定することにより直接得られる。
【発明の効果】
【００１５】
第１の発明に係る充放電電源の電流電圧校正方法においては、充放電電源の出力端子間を短絡し、充放電電源の動作に対応して出力端子間に流れる電流を変換した電圧から電流校正用の測定電圧又は電圧校正用の測定電圧を形成するので、充放電電源の制御状態（定電流制御又は定電圧制御）、充放電電源の動作状態（充電動作又は放電動作）、及び充放電電源の容量が異なっても、１つの校正用負荷装置を共通して使用することができる。その結果、校正作業を効率的に行うことができ、校正作業に要する時間を短縮することが可能になる。
【００１６】
第２の発明に係る充放電電源の校正用負荷装置においては、充放電電源の出力端子間を短絡し、充放電電源の動作に対応して出力端子間に流れる電流を変換した電圧から電流校正用の測定電圧又は電圧校正用の測定電圧を形成するので、充放電電源の制御状態（定電流制御又は定電圧制御）、充放電電源の動作状態（充電動作又は放電動作）、及び充放電電源の容量が異なっても、１つの校正用負荷装置を共通して使用することができる。その結果、校正に使用する設備の製造コストの削減が可能になると共に、校正に使用する設備の保守及び管理負担を軽減させることができる。
【図面の簡単な説明】
【００１７】
【図１】本発明の一実施の形態に係る充放電電源の電流電圧校正方法に使用する充放電電源の校正用負荷装置の説明図である。
【図２】同充放電電源の校正用負荷装置の詳細説明図である。
【図３】定電圧充電状態で動作する充放電電源の電圧校正を行う従来の校正用負荷装置の説明図である。
【図４】定電圧放電状態で動作する充放電電源の電圧校正を行う従来の校正用負荷装置の説明図である。
【図５】定電流充電状態又は定電流放電状態で動作する充放電電源の電流校正を行う従来の校正用負荷装置の説明図である。
【発明を実施するための形態】
【００１８】
続いて、添付した図面を参照しつつ、本発明を具体化した実施の形態につき説明し、本発明の理解に供する。
本発明の一実施の形態に係る充放電電源の電流電圧校正方法に使用する充放電電源の校正用負荷装置（以下、単に「校正用負荷装置」ともいう）１０は、図１、図２に示すように、充放電電源１１が定電流制御の下で、例えば、二次電池（図示せず）の充電又は放電を行っている際の電流値の校正、及び充放電電源１１が定電圧制御の下で二次電池の充電又は放電を行っている際の電圧値の校正をそれぞれ行う際に、充放電電源１１に接続して使用するものであって、充放電電源１１の対となる出力端子１２、１３の間に接続して出力端子１２、１３間を短絡する短絡用配線１４と、充放電電源１１の動作に応じて短絡用配線１４を流れる電流に対応する電流変換電圧を発生する電流電圧変換器１５（以下、単にＩ／Ｖ変換器１５という）と、電流変換電圧を電流校正用の測定電圧として出力する第１の出力部１６と、電流変換電圧から電圧校正用の測定電圧を形成して出力する第２の出力部１７と、充放電電源１１の動作が定電流制御の下の充電又は放電である際に第１の出力部１６からの出力を選択し、充放電電源１１の動作が定電圧制御の下の充電又は放電である際に第２の出力部１７からの出力を選択して出力する出力選択部１８とを有する。
【００１９】
Ｉ／Ｖ変換器１５は、短絡用配線１４を流れる電流に応じた電流を形成する電流形成部１９と、電流形成部１９に直列に接続されて電流形成部１９に流れる電流値に比例する電圧を発生する負荷抵抗２０とを有している。また、第１の出力部１６は、負荷抵抗２０の両側にそれぞれ一端側が接続される電流変換電圧出力用配線２１、２２を有している。
【００２０】
第２の出力部１７は、負荷抵抗２０の両側にそれぞれ接続される測定電圧出力用配線２３、２４と、測定電圧出力用配線２３、２４を介して得られる電流変換電圧を増幅して出力する第１の増幅回路２５と、第１の増幅回路２５の出力電圧を更に増幅して出力する第２の増幅回路２６と、基準電圧発生器２７を備え、基準電圧発生器２７の基準電圧と第１の増幅回路２５の出力電圧との差分を出力する差分回路２８と、差分回路２８の出力電圧を増幅して出力する第３の増幅回路２９とを有している。ここで、基準電圧の絶対値は差分回路２８の出力電圧の絶対値より大きい。
【００２１】
更に、第２の出力部１７は、充放電電源１１の動作が定電圧制御の充電である際に第２の増幅回路２６からの出力を選択し、充放電電源１１の動作が定電圧制御の放電である際に第３の増幅回路２９からの出力を選択して測定電圧とする出力切替え機構３０とを有している。ここで、出力切替え機構３０は、第２の増幅回路２６からの対となる出力の一方が入力される端子３１と、第３の増幅回路２９からの対となる出力の一方が入力される端子３２とを備え、端子３１又は端子３２に接続し、第２の増幅回路２６又は第３の増幅回路２９の対となる出力の一方を第２の出力部１７からの対となる出力の一方として端子３３に与える切替え器３４と、第２の出力部１７（第２、第３の増幅回路２６、２９）の対となる出力の他方が入力される端子３５とを有している。なお、端子３５には、電流変換電圧出力用配線２２を介してＩ／Ｖ変換器１５の対となる出力の他方が入力される。
【００２２】
出力選択部１８は、入力側が、電流変換電圧出力用配線２１の他端に設けられ、第１の出力部１６の対となる出力（Ｉ／Ｖ変換器１５の負荷抵抗２０両端間の電圧）の一方が出力される端子３７又は第２の出力部１７からの対となる出力の一方が出力される端子３３に接続する選択切替え器３８と、選択切替え器３８の出力側に接続し、校正用負荷装置１０からの対となる出力の一方を出力する出力端子３９と、端子３５と接続し、校正用負荷装置１０からの対となる出力の他方を出力する出力端子４０とを有している。
校正用負荷装置１０を以上に示す構成とすることにより、出力端子３９、４０間の電圧の真の値を求める場合は、出力端子３９、４０間に電圧測定基準器４１を接続して測定し、出力端子３９、４０間の電圧を充放電電源１１で求める場合は、出力端子３９、４０間に充放電電源１１の対となるセンシング端子４２、４３を接続して測定する。これにより、定電圧放電状態で動作している充放電電源１１で得られる電圧値の校正を行うことができる。
【００２３】
続いて、本発明の一実施の形態に係る校正用負荷装置１０を用いた充放電電源の電流電圧校正方法を、充放電電源１１が定電流制御の下で充電又は放電を行っている場合の電流値の校正方法と、充放電電源１１が定電圧制御の下で充電又は放電を行っている場合の電圧値の校正方法に分けてそれぞれ説明する。
【００２４】
（充放電電源１１が定電流制御の下で充電動作を行っている場合の電流値の校正方法）
校正用負荷装置１０の短絡用配線１４の両端をそれぞれ充放電電源１１の出力端子１２、１３に接続し、出力端子１２、１３間を短絡する。また、出力選択部１８の選択切替え器３８を操作して、第１の出力部１６の対となる出力の一方が入力される端子３７と出力端子３９を接続し、第１の出力部１６の出力が出力端子３９、４０を介して出力可能な状態とする。そして、充放電電源１１を定電流制御の下で充電動作させると、短絡用配線１４（出力端子１２、１３間）に設定された定電流が流れ、定電流に対応してＩ／Ｖ変換器１５の負荷抵抗２０の両端間に電流変換電圧が発生する。発生した電流変換電圧は、電流校正用の測定電圧として出力端子３９、４０間に出力（印加）される。
【００２５】
従って、出力端子３９、４０に電圧測定基準器４１の測定端子を接続することにより、電流校正用の測定電圧の真の値を求めることができる。ここで、Ｉ／Ｖ変換器１５では、Ｉ／Ｖ変換器１５で検知される電流値とＩ／Ｖ変換器１５から出力される電流変換電圧値の定量関係が予め求まっているので、電流変換電圧の真の値が求められると、電流変換電圧の真の値を定量関係に基づいて換算することにより、Ｉ／Ｖ変換器１５で検知される電流、即ち、短絡用配線１４（出力端子１２、１３間）を流れる電流の真の値を求めることができる。一方、充放電電源１１の出力端子１２、１３間に流れる電流値は、定電流制御の電流指令値でもあるので、Ｉ／Ｖ変換器１５で検知される電流の真の値を用いて、定電流制御の電流指令値の校正、即ち、充放電電源１１の電流値の校正を行うことができる。
【００２６】
なお、充放電電源１１が定電流制御の下で放電動作を行っている場合の電流値の校正方法は、充放電電源１１の動作を放電に設定すればよく、校正用負荷装置１０の放電動作における使用方法は充電動作の場合と同一なので、放電時の電流値の校正方法の説明は省略する。
【００２７】
（充放電電源１１が定電圧制御の下の充電動作を行っている場合の電圧値の校正方法）
校正用負荷装置１０の短絡用配線１４の両端をそれぞれ充放電電源１１の出力端子１２、１３に接続し、出力端子１２、１３間を短絡する。また、第２の出力部１７の切替え器３４を操作して、第２の増幅回路２６の対となる出力の一方が入力される端子３１と端子３３を接続し、第２の増幅回路２６の一方の出力が第２の出力部１７の一方の出力として端子３３に入力されるようにすると共に、出力選択部１８の選択切替え器３８を操作して、第２の出力部１７の対となる出力の一方が入力される端子３３と出力端子３９を接続することにより、第２の出力部１７の出力が出力端子３９、４０を介して出力可能な状態とする。そして、充放電電源１１を定電圧制御の下で充電動作させると、充放電電源１１のセンシング端子４２、４３が接続している校正用負荷装置１０の出力端子３９、４０の出力に設定された定電圧が印加され、その定電圧を維持するために充放電電源１１に接続された短絡用配線１４に出力端子１２から出力端子１３の向きに電流が流れる。
【００２８】
これにより、短絡用配線１４を流れる電流に対応してＩ／Ｖ変換器１５の負荷抵抗２０の両端間に電流変換電圧が発生し、電流変換電圧を第１、第２の増幅回路２５、２６を介して増幅することにより電圧校正用の測定電圧が形成される。そして、形成された電圧校正用の測定電圧は、出力端子３９、４０間に出力（印加）される。このため、出力端子３９、４０に電圧測定基準器４１の測定端子を接続することにより、電圧校正用の測定電圧の真の値を求めることができる。また、出力端子３９、４０間に充放電電源１１の対となるセンシング端子４２、４３を接続することにより、充放電電源１１で電圧校正用の測定電圧を測定することができる。従って、充放電電源１１で測定される電圧校正用の測定電圧の測定値と電圧測定基準器４１で測定した電圧校正用の測定電圧の真の値との対応関係を求めることにより、定電圧制御の下で充電動作を行っている充放電電源１１の電圧校正を行うことができる。
【００２９】
（充放電電源１１が定電圧制御の下の放電動作を行っている場合の電圧値の校正方法）
校正用負荷装置１０の短絡用配線１４の両端をそれぞれ充放電電源１１の出力端子１２、１３に接続し、出力端子１２、１３間を短絡する。また、第２の出力部１７の切替え器３４を操作して、第３の増幅回路２９の対となる出力の一方が入力される端子３２と端子３３を接続し、第３の増幅回路２９の一方の出力が第２の出力部１７の一方の出力として端子３３に入力されるようにすると共に、出力選択部１８の選択切替え器３８を操作して、第２の出力部１７の対となる出力の一方が入力される端子３３と出力端子３９を接続することにより、第２の出力部１７の出力が出力端子３９、４０を介して出力可能な状態とする。そして、充放電電源１１を定電圧制御の下で放電動作させると、
充放電電源１１のセンシング端子４２、４３が接続している校正用負荷装置１０の出力端子３９、４０の出力に設定された定電圧が印加され、その定電圧を維持するために充放電電源１１に接続された短絡用配線１４に出力端子１３から出力端子１２の向きに電流が流れる。
【００３０】
これにより、短絡用配線１４を流れる電流に対応してＩ／Ｖ変換器１５の負荷抵抗２０の両端間に電流変換電圧が発生し、電流変換電圧を第１の増幅回路２５を介して差分回路２８に入力することにより、第１の増幅回路２５で得られる増幅電圧と基準電圧発生器２７の基準電圧との差分電圧を求めることができる。そして、差分回路２８から出力される差分電圧を第３の増幅回路２９を介して増幅することにより電圧校正用の測定電圧が形成され、形成された電圧校正用の測定電圧は、出力端子３９、４０間に出力（印加）される。ここで、基準電圧の絶対値は増幅電圧の絶対値より大きいので、充放電電源１１の出力端子１２、１３間に発生する電圧の昇降に合わせて、差分回路２８から出力される差分電圧を昇降させることができ、充放電電源１１の出力端子１２、１３間の電圧の昇降と出力端子３９、４０間に出力される電圧校正用の測定電圧の昇降を合わせることができる。
【００３１】
このため、出力端子３９、４０に電圧測定基準器４１の測定端子を接続することにより、電圧校正用の測定電圧の真の値を求めることができる。また、出力端子３９、４０間に充放電電源１１の対となるセンシング端子４２、４３を接続することにより、充放電電源１１で電圧校正用の測定電圧を測定することができる。従って、充放電電源１１で測定される電圧校正用の測定電圧の測定値と電圧測定基準器４１で測定した電圧校正用の測定電圧の真の値との対応関係を求めることにより、定電圧制御の下で放電動作を行っている充放電電源１１の電圧校正を行うことができる。
【００３２】
以上、本発明を、実施の形態を参照して説明してきたが、本発明は何ら上記した実施の形態に記載した構成に限定されるものではなく、特許請求の範囲に記載されている事項の範囲内で考えられるその他の実施の形態や変形例も含むものである。
【符号の説明】
【００３３】
１０：充放電電源の校正用負荷装置、１１：充放電電源、１２、１３：出力端子、１４：短絡用配線、１５：電流電圧変換器、１６：第１の出力部、１７：第２の出力部、１８：出力選択部、１９：電流形成部、２０：負荷抵抗、２１、２２：電流変換電圧出力用配線、２３、２４：測定電圧出力用配線、２５：第１の増幅回路、２６：第２の増幅回路、２７：基準電圧発生器、２８：差分回路、２９：第３の増幅回路、３０：出力切替え機構、３１、３２、３３：端子、３４：切替え器、３５、３７：端子、３８：選択切替え器、３９、４０：出力端子、４１：電圧測定基準器、４２、４３：センシング端子
【図１】
2019135487.tif 000003
【図２】
2019135487.tif 000004
【図３】
2019135487.tif 000005
【図４】
2019135487.tif 000006
【図５】
2019135487.tif 000007
【手続補正書】
【提出日】令和1年5月8日(2019.5.8)
【手続補正１】
【補正対象書類名】特許請求の範囲
【補正対象項目名】全文
【補正方法】変更
【補正の内容】
【特許請求の範囲】
【請求項１】
充放電電源が定電流制御の下で充電又は放電を行っている際の電流値の校正と、該充放電電源が定電圧制御の下で充電又は放電を行っている際の電圧値の校正を行う充放電電源の電流電圧校正方法であって、
前記充放電電源の＋出力端子と−出力端子の間を短絡用配線で短絡して該充放電電源を通電状態とし、充電動作では前記＋出力端子から前記−出力端子の向きに電流が流れ、放電動作では前記−出力端子から前記＋出力端子の向きに電流が流れ、
前記充放電電源の動作が定電流制御の下の充電又は放電である際は、前記短絡用配線に流れる定電流に対応して発生する電流変換電圧を電流校正用の測定電圧として電圧測定基準器で測定し、得られた測定値を前記電流変換電圧の真の値として、該電流変換電圧の真の値から換算して前記短絡用配線を流れる電流の真の値を求めて前記充放電電源の電流校正を行い、
前記充放電電源の動作が定電圧制御の下の充電又は放電である際は、定電圧を維持するために前記短絡用配線に流れる電流に対応して発生する電流変換電圧から電圧校正用の測定電圧を形成し、該測定電圧を前記電圧測定基準器で測定して得られる真の値と前記充放電電源で測定して得られる測定値との対応関係を求めて前記充放電電源の電圧校正を行うことを特徴とする充放電電源の電流電圧校正方法。
【請求項２】
請求項１記載の充放電電源の電流電圧校正方法において、前記電圧校正用の測定電圧は、（１）前記充放電電源の動作が定電圧制御の充電である際は、前記電流変換電圧を増幅して形成し、（２）前記充放電電源の動作が定電圧制御の放電である際は、前記電流変換電圧の増幅電圧と基準電圧との差分を更に増幅して形成することを特徴とする充放電電源の電流電圧校正方法。
【請求項３】
請求項２記載の充放電電源の電流電圧校正方法において、前記充放電電源の動作が定電圧制御の放電である際は、前記基準電圧の絶対値を前記増幅電圧の絶対値より大きく設定することを特徴とする充放電電源の電流電圧校正方法。
【請求項４】
充放電電源が定電流制御の下で充電又は放電を行っている際の電流値の校正と該充放電電源が定電圧制御の下で充電又は放電を行っている際の電圧値の校正を行う際に前記充放電電源に接続して使用する充放電電源の校正用負荷装置であって、
前記充放電電源の＋出力端子と−出力端子の間を接続して該出力端子間を短絡する短絡用配線と、
前記充放電電源の充電動作では前記＋出力端子から前記−出力端子の向きに前記短絡用配線を流れ、放電動作では前記−出力端子から前記＋出力端子の向きに前記短絡用配線を流れる電流に対応する電流変換電圧を発生する電流電圧変換器と、
前記電流変換電圧を電流校正用の測定電圧として出力する第１の出力部と、
前記電流変換電圧から電圧校正用の測定電圧を形成して出力する第２の出力部と、
前記充放電電源の動作が定電流制御の下の充電又は放電である際に前記第１の出力部からの出力を選択し、前記充放電電源の動作が定電圧制御の下の充電又は放電である際に前記第２の出力部からの出力を選択して出力する出力選択部とを有することを特徴とする充放電電源の校正用負荷装置。
【請求項５】
請求項４記載の充放電電源の校正用負荷装置において、前記第２の出力部は、前記電流変換電圧を増幅して出力する第１の増幅回路と、該第１の増幅回路の出力電圧を更に増幅して出力する第２の増幅回路と、基準電圧発生器を備え、該基準電圧発生器の基準電圧と前記第１の増幅回路の出力電圧との差分を出力する差分回路と、該差分回路の出力電圧を増幅して出力する第３の増幅回路と、前記充放電電源の動作が定電圧制御の充電である際に前記第２の増幅回路からの出力を選択し、前記充放電電源の動作が定電圧制御の放電である際に前記第３の増幅回路からの出力を選択して前記測定電圧とする出力切替え機構とを有することを特徴とする充放電電源の校正用負荷装置。
【請求項６】
請求項５記載の充放電電源の校正用負荷装置において、前記基準電圧の絶対値は前記差分回路の出力電圧の絶対値より大きいことを特徴とする充放電電源の校正用負荷装置。
【請求項７】
請求項４〜６のいずれか１項に記載の充放電電源の校正用負荷装置において、前記充放電電源の＋出力端子と−出力端子の間を前記短絡用配線で短絡状態として該充放電電源を通電状態として、該充放電電源が定電流制御の下で充電又は放電を行っている際の電流値の校正と、該充放電電源が定電圧制御の下で充電又は放電を行っている際の電圧値の校正を行うことを特徴とする充放電電源の校正用負荷装置。
【手続補正２】
【補正対象書類名】明細書
【補正対象項目名】全文
【補正方法】変更
【補正の内容】
【発明の詳細な説明】
【技術分野】
【０００１】
本発明は、例えば、二次電池の充電又は放電を制御する充放電電源の電流電圧校正方法及び充放電電源に接続して校正に使用する校正用負荷装置に関する。
【背景技術】
【０００２】
従来、図３に示すように、定電圧充電状態で動作している充放電電源８０の電圧校正を行う際に使用する負荷装置（負荷回路ともいう）８１は、充放電電源８０の対となる出力端子８２、８３間にそれぞれ接続端子８４、８５を介して接続される抵抗負荷８６を有している（例えば、特許文献１参照）。そして、負荷装置８１の抵抗負荷８６の両端間の電圧の真の値を求める場合は、負荷装置８１の抵抗負荷８６の両端にそれぞれ設けた端子８９、９０間に定期校正された電圧測定基準器９１を接続して測定し、負荷装置８１の抵抗負荷８６の両端間の電圧値を充放電電源８０で求める場合は、端子８９、９０間に充放電電源８０の対となるセンシング端子９２、９３を接続して測定する。これにより、定電圧充電状態で動作している充放電電源８０で得られる電圧値の校正を行うことができる。
【０００３】
図４に示すように、定電圧放電状態で動作している充放電電源８０の電圧校正を行う際に使用する負荷装置８７は、充放電電源８０の対となる出力端子８２、８３間に対となる接続端子８４ａ、８５ａを介して直列に接続されるシャント抵抗８６ａと直流電源（電圧供給源）８８を有している（例えば、特許文献１参照）。そして、直列に接続したシャント抵抗８６ａと直流電源８８の両端間の電圧の真の値を求める場合は、直列に接続したシャント抵抗８６ａと直流電源８８の両側の接続端子８４ａ、８５ａとは異なる位置にそれぞれ設けた端子８９ａ、９０ａ間に電圧測定基準器９１を接続して測定し、直列に接続したシャント抵抗８６ａと直流電源８８の両端間の電圧値を充放電電源８０で求める場合は、端子８９ａ、９０ａ間に充放電電源８０の対となるセンシング端子９２、９３を接続して測定する。これにより、定電圧放電状態で動作している充放電電源８０で得られる電圧値の校正を行うことができる。
【０００４】
また、図５に示すように、定電流状態で充電又は放電を行っている充放電電源８０の電流校正を行う際に使用する負荷装置９４は、充放電電源８０の対となる出力端子８２、８３間に対となる接続端子８４ｂ、８５ｂを介して接続される電流供給源９５と、出力端子８２、８３間を流れる電流を電圧に変換する電流電圧変換器９６とを有している。そして、電流供給源９５の出力端子８２、８３間を流れる電流（出力端子８２から接続端子８４ｂと接続端子８５ｂを経由して出力端子８３に流れる電流）の真の値を求める場合は、電流電圧変換器９６の出力端子９７、９８間に電圧測定基準器９１を接続して電圧を測定し、得られた電圧値を電流に換算している。電流供給源９５の出力端子８２、８３間を流れる電流値を充放電電源８０の電流検出機能を用いて求める場合は、接続端子８４ｂ、８５ｂと直列に接続される充放電電源８０内部にある電流検出素子（図示せず）による測定を行っている。これにより、定電流状態で充電又は放電を行っている充放電電源８０で得られる電流値の校正を行うことができる。
【先行技術文献】
【特許文献】
【０００５】
【特許文献１】特開２０１３−２２９２０１号公報
【発明の概要】
【発明が解決しようとする課題】
【０００６】
以上説明したように、充放電電源８０の電圧又は電流の校正を行う場合、充放電電源８０の動作状態毎に準備した負荷装置８１、８７、９４の中から、充放電電源８０の動作状態に合わせて負荷装置８１、８７、９４を選択して充放電電源８０に接続しなければならず、配線組替えの作業負担が大きいという問題がある。また、充放電電源８０の動作状態に合わせて負荷装置８１、８７、９４の配線組替え作業が生じるため、効率的な校正作業が阻害され、校正作業に時間を要するという問題がある。
更に、充放電電源８０が同一の動作状態であっても、充放電電源８０の容量に応じてそれぞれ複数の負荷装置８１、８７、９４を準備する必要があるため、負荷装置８１、８７、９４の保守及び管理の負担が増加するという問題がある。
【０００７】
本発明はかかる事情に鑑みてなされたもので、充放電電源の動作状態や容量が異なっても共通して使用でき、短時間で校正作業を行うことが可能な充放電電源の電流電圧校正方法及びその校正用負荷装置を提供することを目的とする。
【課題を解決するための手段】
【０００８】
前記目的に沿う第１の発明に係る充放電電源の電流電圧校正方法は、充放電電源が定電流制御の下で充電又は放電を行っている際の電流値の校正と、該充放電電源が定電圧制御の下で充電又は放電を行っている際の電圧値の校正を行う充放電電源の電流電圧校正方法であって、
前記充放電電源の＋出力端子と−出力端子の間を短絡用配線で短絡して該充放電電源を通電状態とし、充電動作では前記＋出力端子から前記−出力端子の向きに電流が流れ、放電動作では前記−出力端子から前記＋出力端子の向きに電流が流れ、
前記充放電電源の動作が定電流制御の下の充電又は放電である際は、前記短絡用配線に流れる定電流に対応して発生する電流変換電圧を電流校正用の測定電圧として電圧測定基準器で測定し、得られた測定値を前記電流変換電圧の真の値として、該電流変換電圧の真の値から換算して前記短絡用配線を流れる電流の真の値を求めて前記充放電電源の電流校正を行い、
前記充放電電源の動作が定電圧制御の下の充電又は放電である際は、定電圧を維持するために前記短絡用配線に流れる電流に対応して発生する前記電流変換電圧から電圧校正用の測定電圧を形成し、該測定電圧を前記電圧測定基準器で測定して得られる真の値と前記充放電電源（の電圧測定機能）で測定して得られる測定値との対応関係を求めて前記充放電電源の電圧校正を行う。
【０００９】
第１の発明に係る充放電電源の電流電圧校正方法において、前記電圧校正用の測定電圧は、（１）前記充放電電源の動作が定電圧制御の充電である際は、前記電流変換電圧を増幅して形成し、（２）前記充放電電源の動作が定電圧制御の放電である際は、前記電流変換電圧の増幅電圧と基準電圧との差分を更に増幅して形成することができる。
これによって、充放電電源の出力端子間を短絡して出力端子間に流れる電流に対応する電流変換電圧から、充放電電源の動作に対応する電圧校正用の測定電圧をそれぞれ容易に形成することができる。
【００１０】
第１の発明に係る充放電電源の電流電圧校正方法において、前記充放電電源の動作が定電圧制御の放電である際は、前記基準電圧の絶対値を前記増幅電圧の絶対値より大きく設定することが好ましい。
これによって、放電時の充放電電源の出力端子間の電圧の昇降と電圧校正用の測定電圧の昇降を合わせることができる。
【００１１】
前記目的に沿う第２の発明に係る充放電電源の校正用負荷装置は、充放電電源が定電流制御の下で充電又は放電を行っている際の電流値の校正と該充放電電源が定電圧制御の下で充電又は放電を行っている際の電圧値の校正を行う際に前記充放電電源に接続して使用する充放電電源の校正用負荷装置であって、
前記充放電電源の＋出力端子と−出力端子の間を接続して該出力端子間を短絡する短絡用配線と、
前記充放電電源の充電動作では前記＋出力端子から前記−出力端子の向きに前記短絡用配線を流れ、放電動作では前記−出力端子から前記＋出力端子の向きに前記短絡用配線を流れる電流に対応する電流変換電圧を発生する電流電圧変換器と、
前記電流変換電圧を電流校正用の測定電圧として出力する第１の出力部と、
前記電流変換電圧から電圧校正用の測定電圧を形成して出力する第２の出力部と、
前記充放電電源の動作が定電流制御の下の充電又は放電である際に前記第１の出力部からの出力を選択し、前記充放電電源の動作が定電圧制御の下の充電又は放電である際に前記第２の出力部からの出力を選択して出力する出力選択部とを有している。
【００１２】
第２の発明に係る充放電電源の校正用負荷装置において、前記第２の出力部は、前記電流変換電圧を増幅して出力する第１の増幅回路と、該第１の増幅回路の出力電圧を更に増幅して出力する第２の増幅回路と、基準電圧発生器を備え、該基準電圧発生器の基準電圧と前記第１の増幅回路の出力電圧との差分を出力する差分回路と、該差分回路の出力電圧を増幅して出力する第３の増幅回路と、前記充放電電源の動作が定電圧制御の充電である際に前記第２の増幅回路からの出力を選択し、前記充放電電源の動作が定電圧制御の放電である際に前記第３の増幅回路からの出力を選択して前記測定電圧とする出力切替え機構とを有することが好ましい。
これによって、充放電電源の出力端子間を短絡して出力端子間に流れる電流から、充放電電源の動作に対応する測定電圧を形成することができる。
【００１３】
第２の発明に係る充放電電源の校正用負荷装置において、前記基準電圧の絶対値は前記差分回路の出力電圧の絶対値より大きいことが好ましい。
これによって、放電時の充放電電源の出力端子間の電圧の昇降と電圧校正用の測定電圧の昇降を合わせることができる。
【００１４】
第２の発明に係る充放電電源の校正用負荷装置において、前記充放電電源の＋出力端子と−出力端子の間を前記短絡用配線で短絡状態として該充放電電源を通電状態として、該充放電電源が定電流制御の下で充電又は放電を行っている際の電流値の校正と、該充放電電源が定電圧制御の下で充電又は放電を行っている際の電圧値の校正を行うことができる。
これによって、充放電電源の動作状態に合わせて負荷装置を選択して充放電電源に接続する配線組替え作業が不要になる。
なお、電流の真の値は、第１の出力部の出力を電圧測定基準器で測定して得られる電流変換電圧値を逆変換することにより求められ、電圧の真の値は、第２の出力部の出力を電圧測定基準器で測定することにより直接得られる。
【発明の効果】
【００１５】
第１の発明に係る充放電電源の電流電圧校正方法においては、充放電電源の＋出力端子と−出力端子の間を短絡し、充放電電源の動作に対応して＋出力端子と−出力端子の間に流れる電流を変換した電圧から電流校正用の測定電圧又は電圧校正用の測定電圧を形成するので、充放電電源の制御状態（定電流制御又は定電圧制御）、充放電電源の動作状態（充電動作又は放電動作）、及び充放電電源の容量が異なっても、１つの校正用負荷装置を共通して使用することができる。その結果、校正作業を効率的に行うことができ、校正作業に要する時間を短縮することが可能になる。
【００１６】
第２の発明に係る充放電電源の校正用負荷装置においては、充放電電源の＋出力端子と−出力端子の間を短絡し、充放電電源の動作に対応して＋出力端子と−出力端子の間に流れる電流を変換した電圧から電流校正用の測定電圧又は電圧校正用の測定電圧を形成するので、充放電電源の制御状態（定電流制御又は定電圧制御）、充放電電源の動作状態（充電動作又は放電動作）、及び充放電電源の容量が異なっても、１つの校正用負荷装置を共通して使用することができる。その結果、校正に使用する設備の製造コストの削減が可能になると共に、校正に使用する設備の保守及び管理負担を軽減させることができる。
【図面の簡単な説明】
【００１７】
【図１】本発明の一実施の形態に係る充放電電源の電流電圧校正方法に使用する充放電電源の校正用負荷装置の説明図である。
【図２】同充放電電源の校正用負荷装置の詳細説明図である。
【図３】定電圧充電状態で動作する充放電電源の電圧校正を行う従来の校正用負荷装置の説明図である。
【図４】定電圧放電状態で動作する充放電電源の電圧校正を行う従来の校正用負荷装置の説明図である。
【図５】定電流充電状態又は定電流放電状態で動作する充放電電源の電流校正を行う従来の校正用負荷装置の説明図である。
【発明を実施するための形態】
【００１８】
続いて、添付した図面を参照しつつ、本発明を具体化した実施の形態につき説明し、本発明の理解に供する。
本発明の一実施の形態に係る充放電電源の電流電圧校正方法に使用する充放電電源の校正用負荷装置（以下、単に「校正用負荷装置」ともいう）１０は、図１、図２に示すように、充放電電源１１が定電流制御の下で、例えば、二次電池（図示せず）の充電又は放電を行っている際の電流値の校正、及び充放電電源１１が定電圧制御の下で二次電池の充電又は放電を行っている際の電圧値の校正をそれぞれ行う際に、充放電電源１１に接続して使用するものであって、充放電電源１１の対となる＋出力端子１２、−出力端子１３の間に接続して＋出力端子１２、−出力端子１３間を短絡する短絡用配線１４と、充放電電源１１の動作に応じて短絡用配線１４を流れる電流に対応する電流変換電圧を発生する電流電圧変換器１５（以下、単にＩ／Ｖ変換器１５という）と、電流変換電圧を電流校正用の測定電圧として出力する第１の出力部１６と、電流変換電圧から電圧校正用の測定電圧を形成して出力する第２の出力部１７と、充放電電源１１の動作が定電流制御の下の充電又は放電である際に第１の出力部１６からの出力を選択し、充放電電源１１の動作が定電圧制御の下の充電又は放電である際に第２の出力部１７からの出力を選択して出力する出力選択部１８とを有する。
【００１９】
Ｉ／Ｖ変換器１５は、短絡用配線１４を流れる電流に応じた電流を形成する電流形成部１９と、電流形成部１９に直列に接続されて電流形成部１９に流れる電流値に比例する電圧を発生する負荷抵抗２０とを有している。また、第１の出力部１６は、負荷抵抗２０の両側にそれぞれ一端側が接続される電流変換電圧出力用配線２１、２２を有している。
【００２０】
第２の出力部１７は、負荷抵抗２０の両側にそれぞれ接続される測定電圧出力用配線２３、２４と、測定電圧出力用配線２３、２４を介して得られる電流変換電圧を増幅して出力する第１の増幅回路２５と、第１の増幅回路２５の出力電圧を更に増幅して出力する第２の増幅回路２６と、基準電圧発生器２７を備え、基準電圧発生器２７の基準電圧と第１の増幅回路２５の出力電圧との差分を出力する差分回路２８と、差分回路２８の出力電圧を増幅して出力する第３の増幅回路２９とを有している。ここで、基準電圧の絶対値は差分回路２８の出力電圧の絶対値より大きい。
【００２１】
更に、第２の出力部１７は、充放電電源１１の動作が定電圧制御の充電である際に第２の増幅回路２６からの出力を選択し、充放電電源１１の動作が定電圧制御の放電である際に第３の増幅回路２９からの出力を選択して測定電圧とする出力切替え機構３０とを有している。ここで、出力切替え機構３０は、第２の増幅回路２６からの対となる出力の一方が入力される端子３１と、第３の増幅回路２９からの対となる出力の一方が入力される端子３２とを備え、端子３１又は端子３２に接続し、第２の増幅回路２６又は第３の増幅回路２９の対となる出力の一方を第２の出力部１７からの対となる出力の一方として端子３３に与える切替え器３４と、第２の出力部１７（第２、第３の増幅回路２６、２９）の対となる出力の他方が入力される端子３５とを有している。なお、端子３５には、電流変換電圧出力用配線２２を介してＩ／Ｖ変換器１５の対となる出力の他方が入力される。
【００２２】
出力選択部１８は、入力側が、電流変換電圧出力用配線２１の他端に設けられ、第１の出力部１６の対となる出力（Ｉ／Ｖ変換器１５の負荷抵抗２０両端間の電圧）の一方が出力される端子３７又は第２の出力部１７からの対となる出力の一方が出力される端子３３に接続する選択切替え器３８と、選択切替え器３８の出力側に接続し、校正用負荷装置１０からの対となる出力の一方を出力する出力端子３９と、端子３５と接続し、校正用負荷装置１０からの対となる出力の他方を出力する出力端子４０とを有している。
校正用負荷装置１０を以上に示す構成とすることにより、出力端子３９、４０間の電圧の真の値を求める場合は、出力端子３９、４０間に電圧測定基準器４１を接続して測定し、出力端子３９、４０間の電圧を充放電電源１１で求める場合は、出力端子３９、４０間に充放電電源１１の対となるセンシング端子４２、４３を接続して測定する。これにより、定電圧放電状態で動作している充放電電源１１で得られる電圧値の校正を行うことができる。
【００２３】
続いて、本発明の一実施の形態に係る校正用負荷装置１０を用いた充放電電源の電流電圧校正方法を、充放電電源１１が定電流制御の下で充電又は放電を行っている場合の電流値の校正方法と、充放電電源１１が定電圧制御の下で充電又は放電を行っている場合の電圧値の校正方法に分けてそれぞれ説明する。
【００２４】
（充放電電源１１が定電流制御の下で充電動作を行っている場合の電流値の校正方法）
校正用負荷装置１０の短絡用配線１４の両端をそれぞれ充放電電源１１の＋出力端子１２、−出力端子１３に接続し、＋出力端子１２、−出力端子１３間を短絡する。また、出力選択部１８の選択切替え器３８を操作して、第１の出力部１６の対となる出力の一方が入力される端子３７と出力端子３９を接続し、第１の出力部１６の出力が出力端子３９、４０を介して出力可能な状態とする。そして、充放電電源１１を定電流制御の下で充電動作させると、短絡用配線１４（＋出力端子１２、−出力端子１３間）に設定された定電流が流れ、定電流に対応してＩ／Ｖ変換器１５の負荷抵抗２０の両端間に電流変換電圧が発生する。発生した電流変換電圧は、電流校正用の測定電圧として出力端子３９、４０間に出力（印加）される。
【００２５】
従って、出力端子３９、４０に電圧測定基準器４１の測定端子を接続することにより、電流校正用の測定電圧の真の値を求めることができる。ここで、Ｉ／Ｖ変換器１５では、Ｉ／Ｖ変換器１５で検知される電流値とＩ／Ｖ変換器１５から出力される電流変換電圧値の定量関係が予め求まっているので、電流変換電圧の真の値が求められると、電流変換電圧の真の値を定量関係に基づいて換算することにより、Ｉ／Ｖ変換器１５で検知される電流、即ち、短絡用配線１４（＋出力端子１２、−出力端子１３間）を流れる電流の真の値を求めることができる。一方、充放電電源１１の＋出力端子１２、−出力端子１３間に流れる電流値は、定電流制御の電流指令値でもあるので、Ｉ／Ｖ変換器１５で検知される電流の真の値を用いて、定電流制御の電流指令値の校正、即ち、充放電電源１１の電流値の校正を行うことができる。
【００２６】
なお、充放電電源１１が定電流制御の下で放電動作を行っている場合の電流値の校正方法は、充放電電源１１の動作を放電（短絡用配線１４に−出力端子１３から＋出力端子１２の向きに電流が流れる）に設定すればよく、校正用負荷装置１０の放電動作における使用方法は充電動作の場合と同一なので、放電時の電流値の校正方法の説明は省略する。
【００２７】
（充放電電源１１が定電圧制御の下の充電動作を行っている場合の電圧値の校正方法）
校正用負荷装置１０の短絡用配線１４の両端をそれぞれ充放電電源１１の＋出力端子１２、−出力端子１３に接続し、＋出力端子１２、−出力端子１３間を短絡する。また、第２の出力部１７の切替え器３４を操作して、第２の増幅回路２６の対となる出力の一方が入力される端子３１と端子３３を接続し、第２の増幅回路２６の一方の出力が第２の出力部１７の一方の出力として端子３３に入力されるようにすると共に、出力選択部１８の選択切替え器３８を操作して、第２の出力部１７の対となる出力の一方が入力される端子３３と出力端子３９を接続することにより、第２の出力部１７の出力が出力端子３９、４０を介して出力可能な状態とする。そして、充放電電源１１を定電圧制御の下で充電動作させると、充放電電源１１のセンシング端子４２、４３が接続している校正用負荷装置１０の出力端子３９、４０の出力に設定された定電圧が印加され、その定電圧を維持するために充放電電源１１に接続された短絡用配線１４に＋出力端子１２から−出力端子１３の向きに電流が流れる。
【００２８】
これにより、短絡用配線１４を流れる電流に対応してＩ／Ｖ変換器１５の負荷抵抗２０の両端間に電流変換電圧が発生し、電流変換電圧を第１、第２の増幅回路２５、２６を介して増幅することにより電圧校正用の測定電圧が形成される。そして、形成された電圧校正用の測定電圧は、出力端子３９、４０間に出力（印加）される。このため、出力端子３９、４０に電圧測定基準器４１の測定端子を接続することにより、電圧校正用の測定電圧の真の値を求めることができる。また、出力端子３９、４０間に充放電電源１１の対となるセンシング端子４２、４３を接続することにより、充放電電源１１で電圧校正用の測定電圧を測定することができる。従って、充放電電源１１で測定される電圧校正用の測定電圧の測定値と電圧測定基準器４１で測定した電圧校正用の測定電圧の真の値との対応関係を求めることにより、定電圧制御の下で充電動作を行っている充放電電源１１の電圧校正を行うことができる。
【００２９】
（充放電電源１１が定電圧制御の下の放電動作を行っている場合の電圧値の校正方法）
校正用負荷装置１０の短絡用配線１４の両端をそれぞれ充放電電源１１の＋出力端子１２、−出力端子１３に接続し、＋出力端子１２、−出力端子１３間を短絡する。また、第２の出力部１７の切替え器３４を操作して、第３の増幅回路２９の対となる出力の一方が入力される端子３２と端子３３を接続し、第３の増幅回路２９の一方の出力が第２の出力部１７の一方の出力として端子３３に入力されるようにすると共に、出力選択部１８の選択切替え器３８を操作して、第２の出力部１７の対となる出力の一方が入力される端子３３と出力端子３９を接続することにより、第２の出力部１７の出力が出力端子３９、４０を介して出力可能な状態とする。そして、充放電電源１１を定電圧制御の下で放電動作させると、
充放電電源１１のセンシング端子４２、４３が接続している校正用負荷装置１０の出力端子３９、４０の出力に設定された定電圧が印加され、その定電圧を維持するために充放電電源１１に接続された短絡用配線１４に−出力端子１３から＋出力端子１２の向きに電流が流れる。
【００３０】
これにより、短絡用配線１４を流れる電流に対応してＩ／Ｖ変換器１５の負荷抵抗２０の両端間に電流変換電圧が発生し、電流変換電圧を第１の増幅回路２５を介して差分回路２８に入力することにより、第１の増幅回路２５で得られる増幅電圧と基準電圧発生器２７の基準電圧との差分電圧を求めることができる。そして、差分回路２８から出力される差分電圧を第３の増幅回路２９を介して増幅することにより電圧校正用の測定電圧が形成され、形成された電圧校正用の測定電圧は、出力端子３９、４０間に出力（印加）される。ここで、基準電圧の絶対値は増幅電圧の絶対値より大きいので、充放電電源１１の＋出力端子１２、−出力端子１３間に発生する電圧の昇降に合わせて、差分回路２８から出力される差分電圧を昇降させることができ、充放電電源１１の＋出力端子１２、−出力端子１３間の電圧の昇降と出力端子３９、４０間に出力される電圧校正用の測定電圧の昇降を合わせることができる。
【００３１】
このため、出力端子３９、４０に電圧測定基準器４１の測定端子を接続することにより、電圧校正用の測定電圧の真の値を求めることができる。また、出力端子３９、４０間に充放電電源１１の対となるセンシング端子４２、４３を接続することにより、充放電電源１１で電圧校正用の測定電圧を測定することができる。従って、充放電電源１１で測定される電圧校正用の測定電圧の測定値と電圧測定基準器４１で測定した電圧校正用の測定電圧の真の値との対応関係を求めることにより、定電圧制御の下で放電動作を行っている充放電電源１１の電圧校正を行うことができる。
【００３２】
以上、本発明を、実施の形態を参照して説明してきたが、本発明は何ら上記した実施の形態に記載した構成に限定されるものではなく、特許請求の範囲に記載されている事項の範囲内で考えられるその他の実施の形態や変形例も含むものである。
【符号の説明】
【００３３】
１０：充放電電源の校正用負荷装置、１１：充放電電源、１２：＋出力端子、１３：−出力端子、１４：短絡用配線、１５：電流電圧変換器、１６：第１の出力部、１７：第２の出力部、１８：出力選択部、１９：電流形成部、２０：負荷抵抗、２１、２２：電流変換電圧出力用配線、２３、２４：測定電圧出力用配線、２５：第１の増幅回路、２６：第２の増幅回路、２７：基準電圧発生器、２８：差分回路、２９：第３の増幅回路、３０：出力切替え機構、３１、３２、３３：端子、３４：切替え器、３５、３７：端子、３８：選択切替え器、３９、４０：出力端子、４１：電圧測定基準器、４２、４３：センシング端子